(57)【要約】【課題】  本発明は、偽造防止、真偽判別及び複写防止が必要とされる貴重品に適用する画像形成体及びその作製方法に関するものである。【解決手段】  基材に凹部の線により潜像画像が形成され、基材を傾けて観察した場合に、階調を有する潜像画像が確認できる画像形成体において、潜像画像はＮ個（Ｎは３以上）の領域に区分けされ、Ｎ個に区分けされた各領域は、凹部の第１の万線、第２の万線、・・・第ｎの万線（ｎは３以上）に振り分けられ、第１の万線、第２の万線、・・・第ｎの万線は、万線ごとに万線の配列方向の相違、万線の線幅の相違、万線のピッチ幅の相違又はそれらの組合せから成ることを特徴とする画像形成体である。【選択図】  図１
2009083157.tif 000002
【特許請求の範囲】
【請求項１】
基材に凹部の線により潜像画像が形成され、前記基材を傾けて観察した場合に、階調を有する潜像画像が確認できる画像形成体において、
前記潜像画像はＮ個（Ｎは３以上）の領域に区分けされ、
前記Ｎ個に区分けされた各領域は、凹部の第１の万線、第２の万線、・・・第ｎの万線（ｎは３以上）に振り分けられ、
前記第１の万線、前記第２の万線、・・・前記第ｎの万線は、万線ごとに前記万線の配列方向の相違、前記万線の線幅の相違、前記万線のピッチ幅の相違又はそれらの組合せから成ることを特徴とする画像形成体。
【請求項２】
前記万線の凹部の線幅が３０〜５００μｍで、ピッチ幅が７０〜２０００μｍの範囲内であることを特徴とする請求項１記載の画像形成体。
【請求項３】
基材に凹部の線により潜像画像が形成され、前記基材を傾けて観察した場合に、階調を有する潜像画像が確認できる画像形成体の作製方法において、
前記潜像画像の原画像となる濃度値が定義された画素の集合体である潜像画像データを取得する工程と、
前記取得された潜像画像データを、各濃度と各万線の配列方向が対応付けされた変換テーブルを基に、前記潜像画像データの濃度領域ごとに配列方向が異なった万線に変換し、さらに、線幅及びピッチを定義して万線潜像画像データを生成する工程と、
前記基材の表面に前記万線潜像画像データを基に凹部の線により潜像画像を形成する工程から成る画像形成体の作製方法。
【発明の詳細な説明】
【技術分野】
【０００１】
本発明は、銀行券、有価証券、通行券、パスポート、商品券、カード、商品タグ又はブランドプロテクション等の偽造防止、真偽判別及び複写防止が必要とされる貴重品に適用する画像形成体及びその作製方法に関するものである。
【背景技術】
【０００２】
銀行券、有価証券、通行券、パスポート、商品券、カード、商品タグ又はブランドプロテクション等の貴重品は、その性質上、偽造及び変造されにくいことが要求される。この防止策として、これらの貴重品を傾けて観察することにより潜像画像を認識できるようにして真偽判別を行う技術が知られている。例えば、凹部の線を利用する技術が挙げられる。
【０００３】
この凹部の線を利用し、潜像画像を出現させる技術としては、基材の表面に、文字や数字等の潜像パターン及び／又はそのパターンの周囲部が、ピッチ幅０．２〜１ｍｍの圧印加工による万線状凹凸で形成されていて、その潜像パターンの周囲部に、その潜像パターンを形成する万線状凹凸と略直角の万線状凹凸が施されている有価証券類が開示されている（例えば、特許文献１参照）。
【０００４】
さらに、パスポート等のラミネートフィルムに、レーザを用いた万線状の凹部から成る潜像部及び背景部を形成し、潜像部と背景部の万線は位相がずれているか、又は異なる角度で形成されたラミネートフィルムで保護された貴重印刷物及びその製造方法が開示されている（例えば、特許文献２参照）。
【０００５】
【特許文献１】特開２００２−１５４２６２公報（第１−４頁、第１、２図）
【特許文献２】特許第３５１４２９１号（第７頁、第４、５図）
【発明の開示】
【発明が解決しようとする課題】
【０００６】
特許文献１及び特許文献２は、いずれにおいても出現する潜像画像が連続階調を有するものではく、潜像画像として複雑なデザインが採用しにくい問題があった。さらに凹部の線の配列構成が単純であったため偽造されるおそれがあった。また、基材に対して真上から観察した場合においても潜像が見えてしまう欠点があった。さらに、万線を縦方向と横方向とで構成しているため、偽造が容易にできるという課題があった。
【０００７】
特許文献１は、基材にエンボスにより万線状の凹凸を施しているので、エンボス用の版面を作製するための装置とノウハウを要し、さらには基材にエンボス版面を押圧する装置が必要となることから、設備に多大な費用を要し、また、作製するに前準備を含め多くの時間が掛かった。
【０００８】
特許文献２は、基材を紙ではなくフィルムに限定しているが、フィルムは光の反射性が高く、かつ、フィルム表面と万線状の溝との光反射性が異なることから、フィルムの真上から観察した場合でも潜像が視認しやすく、フィルムを剥がして再利用する改ざんに対しての効果は高いが、潜像としての効果は低かった。
【０００９】
本発明は、このような従来の問題を解決することを目的としたもので、基材のみで得られる偽造防止技術であり、凹部の線の配列構成が単純ではなく、出現する潜像画像は連続階調を有し、複雑なデザインが採用可能な画像形成体及びその作製方法を提案することを目的とする。
【課題を解決するための手段】
【００１０】
本発明は、基材に凹部の線により潜像画像が形成され、基材を傾けて観察した場合に、階調を有する潜像画像が確認できる画像形成体において、潜像画像はＮ個（Ｎは３以上）の領域に区分けされ、Ｎ個に区分けされた各領域は、凹部の第１の万線、第２の万線、・・・第ｎの万線（ｎは３以上）に振り分けられ、第１の万線、第２の万線、・・・第ｎの万線は、万線ごとに万線の配列方向の相違、万線の線幅の相違、万線のピッチ幅の相違又はそれらの組合せから成ることを特徴とする画像形成体である。
【００１１】
また、本発明の画像形成体は、万線の凹部の線幅が３０〜５００μｍで、ピッチ幅が７０〜２０００μｍの範囲内であることを特徴とする。
【００１２】
また、本発明は、基材に凹部の線により潜像画像が形成され、基材を傾けて観察した場合に、階調を有する潜像画像が確認できる画像形成体の作製方法において、潜像画像の原画像となる濃度値が定義された画素の集合体である潜像画像データを取得する工程と、取得された潜像画像データを、各濃度と各万線の配列方向が対応付けされた変換テーブルを基に、潜像画像データの濃度領域ごとに配列方向が異なった万線に変換し、さらに、線幅及びピッチを定義して万線潜像画像データを生成する工程と、基材の表面に万線潜像画像データを基に凹部の線により潜像画像を形成する工程から成る画像形成体の作製方法である。
【発明の効果】
【００１３】
本発明の画像形成体は、出現する潜像画像が階調表現に優れるとともに精彩な画像として表現することができる。連続階調を有する複雑なデザインが採用可能であるためデザインの制限を受けることがない。
【００１４】
本発明の画像形成体は、基材にレーザ加工機等の特殊な機械で、複雑な配列方向を有する凹部の線で潜像画像を形成するため、偽造防止効果に優れる。
【００１５】
また、本発明の画像形成体は、垂直方向から水平方向に傾けて観察した場合に、潜像画像が確認でき、潜像画像は観察方向によってポジの潜像画像又はネガの潜像画像として確認できるため、潜像画像の出現の有無及びネガポジの変化の有無によって真偽判別が可能となる。よって、判別具及び特別な真偽判別装置等を用いることなく、誰でもその場で上記効果が得られるか否かによって真偽判別することができる。
【００１６】
本発明の画像形成体を形成する凹部の線は、レーザで作製可能なため、貴重品に個々に異なった情報（可変情報）を形成することができる。
【００１７】
以上のことから、本発明の画像形成体は、真偽判別効果が高く、微細な形状で形成するため複製防止効果を有し、銀行券、有価証券、通行券、パスポート、商品券、カード、商品タグ又はブランドプロテクション等に適用することができる。
【発明を実施するための最良の形態】
【００１８】
本発明を実施するための最良の形態について、図面を用いて説明する。しかしながら、本発明は以下に述べる実施するための最良の形態に限定されるものではなく、特許請求の範囲記載における技術的思想の範囲内であれば、その他いろいろな実施の形態が含まれる。
【００１９】
（画像形成体）
本発明の構成である所定幅Ｗを有する凹部の線について図１を用いて説明する。図１に示すように、所定幅Ｗを有する凹部の線５は、基材１の表面のベースの高さより低く形成される。所定幅Ｗとは、基材１の表面に形成される幅のことであり、深さ方向の幅ではない。所定幅Ｗを有する凹部の線５の断面形状は、図１（ａ）に示すような三角形状、図１（ｂ）に示すような台形状、図１（ｃ）に示すような四角形状、図１（ｄ）に示すような蒲鉾状、図１（ｅ）に示すような直角三角形状等が挙げられる。ただし、本発明の構成である凹部の線５の断面形状は、図１（ａ）乃至図（ｅ）に限定されることがなく、例えば、図１（ａ）乃至図１（ｅ）を組み合わせ又はその他の断面形状で形成することもできる。
【００２０】
図２はモチーフ（原画像）となる潜像画像２を形成するパーツごと及び／又は潜像画像２を形成する色彩の明度ごとに１３個の領域３に分割された図である。本発明の画像形成体は、１３個の領域３に分割された各領域に基材を非貫通である凹部の第１の万線、第２の万線、第３の万線又は第４の万線に振り分けられ、第１の万線、第２の万線、第３の万線及び第４の万線は、各万線ごとに万線の配列方向の相違、万線の線幅の相違、万線のピッチ幅の相違又はそれらの組合せによって形成される。
【００２１】
この場合の凹部の線に対して、所定の角度から光を照射した際に、第１の万線、第２の万線、第３の万線及び第４の万線の反射光量は、第１の万線＞第２の万線＞第３の万線＞第４の万線、又は第１の万線＜第２の万線＜第３の万線＜第４の万線となり、各万線の領域ごとに濃度が異なる。つまり、第１の万線は高濃度領域となり、第２の万線は第１の中間領域となり、第３の万線は第２の中間領域となり、第４の万線は低濃度領域となるか、第４の万線は高濃度領域となり、第３の万線は第１の中間領域となり、第２の万線は第２の中間領域となり、第１の万線は低濃度領域となる。
【００２２】
図２では潜像画像２は１３個に区分けしているが、１３個に限定されるものではなく、Ｎ個（Ｎは３以上の整数）に区分けすることができる。また、１３個の領域を第１の万線、第２の万線、第３の万線及び第４の万線に振り分けているが、これに限定されるものではなく第ｎの万線（ｎは３以上の整数）に振り分けることができる。
【００２３】
（画像形成体Ａ１）
図２で示した１３個の領域３に区分けされた潜像画像２を、図３で示すような１３個の各領域に対して、高濃度領域３ａ、第１の中間領域３ｂ１、第２の中間領域３ｂ２及び低濃度領域３ｃに振り分けられる。図３で示す高濃度領域３ａ、第１の中間領域３ｂ１、第２の中間領域３ｂ２及び低濃度領域３ｃに振り分けられた各領域に対して、図４に示すように凹部の線５から成る万線４を施す。図４は画像形成体Ａ１を示す図である。凹部の線５から成る万線４は、高濃度領域３ａ、第１の中間領域３ｂ１、第２の中間領域３ｂ２及び低濃度領域３ｃごとに異なる方向に配列される。また、図４に示すＸ−Ｘ’断面図によって、各凹部の線５は所定の深さＤを有していることが分かる。この場合、高濃度領域３ａの万線４ａの配列方向を０°とした場合、第１の中間領域３ｂ１の万線４ｂ１の配列方向を３０°及び／又は１５０°とし、第２の中間領域３ｂ２の万線４ｂ２の配列方向を６０°及び／又は１２０°とし、低濃度領域３ｃの万線４ｃの配列方向を９０°及び／又は２７０°としている。低濃度領域の万線の配列方向の角度を０°とした場合に、低濃度領域から高濃度領域に濃度が濃くなるに従い、徐々に万線の配列が９０°及び／又は２７０°に近づいて配列する必要がある。また、万線の凹部の線幅が３０〜５００μｍで、ピッチ幅が７０〜２０００μｍの範囲内であることが好ましい。
【００２４】
図４に示した画像形成体Ａ１に対してＹ１方向からスポット光を照射し、Ｙ２方向から肉眼で観察した場合の原理を図５に示す。図５（ａ）に示すように、配列方向が０°である高濃度領域の万線４ａの第１の傾斜面５ａは、スポット光の影響を受けて明るく確認でき、第２の傾斜面５ｂは、スポット光の影によって暗く確認できる。この場合の観察方向はＹ２方向であるため、第１の傾斜面５ａは観察ができず、第２の傾斜面５ｂが観察できるため万線４ａは暗く視認できる。よって、高濃度領域は暗い状態で観察できる。
【００２５】
次に、図５（ｂ）に示すように、配列方向が３０°及び／又は１５０°である第１の中間領域の万線４ｂ１の第１の傾斜面５ａは、スポット光の影響を受けて明るい領域から徐々にスポット光の影によって暗い領域となって確認され、第２の傾斜面５ｂは、スポット光の影によって暗く確認できる。この場合の観察方向はＹ２方向であるため、万線４ｂ１の第１の傾斜面５ａ及び第２の傾斜面５ｂが視認できるため、万線４ｂ１は万線４ａよりも明るく確認できる。よって、第１の中間領域は高濃度領域よりも明るく確認できる。
【００２６】
次に、図５（ｃ）に示すように、配列方向が６０°及び／又は１２０°である第２の中間領域の万線４ｂ２の第１の傾斜面５ａは、スポット光の影響を受けて明るい領域から徐々にスポット光の影によって暗い領域となって確認され、第２の傾斜面５ｂは、スポット光の影響を受けて明るい領域から徐々にスポット光の影によって暗い領域となって確認される。この場合の観察方向はＹ２方向であるため、万線４ｂ１の第１の傾斜面５ａ及び第２の傾斜面５ｂが視認できる。また、図５（ｂ）に示した万線４ｂ１よりも視認できる影の領域が少ない状態にあるため、万線４ｂ２は万線４ｂ１よりも明るく確認できる。よって、第２の中間領域は第１の中間領域よりも明るく確認できる。
【００２７】
次に、図５（ｄ）に示すように、配列方向が９０°及び／又は２７０°である低濃度領域の万線４ｃの第１の傾斜面５ａ及び第２の傾斜面５ｂは、スポット光による影が発生しにくいため、明るい状態で視認できる。この場合の観察方向はＹ２方向であるため、万線４ｃの第１の傾斜面５ａ及び第２の傾斜面５ｂが視認できる。影が発生しにくい万線４ｃは万線４ｂ２よりも明るく確認できる。よって、低濃度領域は第２の中間領域よりも明るく確認できる。
【００２８】
図４に示した画像形成体Ａ１に対してＹ１方向からスポット光を照射し、照射光と同一の方向であるＹ１方向から肉眼で観察した場合の原理を図６に示す。図６（ａ）に示すように、配列方向が０°である高濃度領域の万線４ａの第１の傾斜面５ａは、スポット光の影響を受けて明るく確認でき、第２の傾斜面５ｂは、スポット光の影によって暗く確認できる。この場合の観察方向はＹ１方向であるため、第２の傾斜面５ｂは観察ができず、第１の傾斜面５ａが観察できるため万線４ａは明るく視認できる。よって、高濃度領域は明るい状態で観察できる。
【００２９】
次に、図６（ｂ）に示すように、配列方向が３０°及び／又は１５０°である第１の中間領域の万線４ｂ１の第１の傾斜面５ａは、スポット光の影響を受けて明るい領域から徐々にスポット光の影によって暗い領域となって確認され、第２の傾斜面５ｂは、スポット光の影によって暗く確認できる。この場合の観察方向はＹ１方向であるため、万線４ｂ１の第１の傾斜面５ａ及び第２の傾斜面５ｂが視認できるため、万線４ｂ１は万線４ａよりも暗く確認できる。よって、第１の中間領域は高濃度領域よりも暗く確認できる。
【００３０】
次に、図６（ｃ）に示すように、配列方向が６０°及び／又は１２０°である第２の中間領域の万線４ｂ２の第１の傾斜面５ａは、スポット光の影響を受けて明るい領域から徐々にスポット光の影によって暗い領域となって確認され、第２の傾斜面５ｂは、スポット光の影響を受けて明るい領域から徐々にスポット光の影によって暗い領域となって確認される。この場合の観察方向はＹ１方向であるため、万線４ｂ１の第１の傾斜面５ａ及び第２の傾斜面５ｂが視認できる。また、図６（ｂ）に示した万線４ｂ１よりも視認できる影の領域が多い状態にあるため、万線４ｂ２は万線４ｂ１よりも暗く確認できる。よって、第２の中間領域は第１の中間領域よりも暗く確認できる。
【００３１】
次に、図６（ｄ）に示すように、配列方向が９０°及び／又は２７０°である低濃度領域の万線４ｃの第１の傾斜面５ａ及び第２の傾斜面５ｂは、スポット光による影が発生しにくいが、確認できる反射光量が他の領域に比べて少ないため暗い状態で視認できる。この場合の観察方向はＹ１方向であるため、万線４ｃの第１の傾斜面５ａ及び第２の傾斜面５ｂが視認できる。万線４ｃは万線４ｂ２よりも暗く確認できる。よって、低濃度領域は第２の中間領域よりも暗く確認できる。
【００３２】
図７（ａ）は、図４に示した画像形成体Ａ１に対して垂直方向から観察した場合の図を示す。画像形成体を垂直方向から観察した場合に、潜像画像２を形成する１３個の領域３は、高濃度領域３ａ、第１の中間領域３ｂ１、第２の中間領域３ｂ２及び低濃度領域３ｃに振り分けられ、高濃度領域３ａ、第１の中間領域３ｂ１、第２の中間領域３ｂ２及び低濃度領域３ｃごとに万線の配列方向の角度がそれぞれ異なっているが、万線の凹部の線幅が３０〜５００μｍで、ピッチ幅が７０〜２０００μｍの範囲内であり、微細な線幅で形成されているため、１３個の領域３は区分けしにくい状態で視認される。
【００３３】
図７（ｂ）は、図４に示した画像形成体Ａ１に対してＹ１方向からスポット光を照射し、Ｙ２方向から肉眼で観察した場合の図面である。図７（ｂ）に示すように高濃度領域が最も暗く確認でき、続いて、第１の中間領域、第２の中間領域、低濃度領域となる。よって、潜像画像２は高濃度領域３ｃ、第１の中間領域３ｂ１、第２の中間領域３ｂ２及び低濃度領域３ｃに振り分けられた領域３ごとに明度差が生じ、階調を有して潜像画像２が視認される。
【００３４】
図７（ｃ）は、図４に示した画像形成体Ａ１に対してＹ１方向からスポット光を照射し、Ｙ１方向から肉眼で観察した場合の図面である。図７（ｃ）に示すように高濃度領域が最も明るく確認でき、続いて、第１の中間領域、第２の中間領域、低濃度領域となる。よって、潜像画像２は高濃度領域３ｃ、第１の中間領域３ｂ１、第２の中間領域３ｂ２及び低濃度領域３ｃに振り分けられた領域３ごとに明度差が生じ、階調を有して潜像画像２が視認される。
【００３５】
なお、図４に示した画像形成体Ａ１に対してＸ１方向からスポット光を照射し、Ｘ２方向から肉眼で観察した場合は、高濃度領域が最も明るく確認でき、続いて、第１の中間領域、第２の中間領域、低濃度領域となる。さらに、図４に示した画像形成体Ａ１に対してＸ１方向からスポット光を照射し、Ｘ１方向から肉眼で観察した場合は、高濃度領域が最も暗く確認でき、続いて、第１の中間領域、第２の中間領域、低濃度領域となる。
【００３６】
（画像形成体Ａ２）
図３で示した高濃度領域３ａ、第１の中間領域３ｂ１、第２の中間領域３ｂ２及び低濃度領域３ｃに振り分けられた各領域に対して、図８に示すような凹部の線５から成る万線４を施す。また、図８に示すＸ−Ｘ’断面図によって、各凹部の線５は所定の深さＤを有していることがわかる。この場合、高濃度領域３ａの万線４ａの各線幅を５０μｍ、ピッチ幅１００μｍとした場合、第１の中間領域３ｂ１の万線４ｂ１の各線幅を５０μｍ、ピッチ幅１５０μｍとし、第１の中間領域３ｂ２の万線４ｂ２の各線幅を５０μｍ、ピッチ幅２００μｍとし、低濃度領域３ｃの万線４ｃの各線幅を５０μｍ、ピッチ幅２５０μｍとしている。つまり、図８では各領域を形成する万線のピッチ幅は、高濃度領域の万線のピッチ幅＜第１の中間領域の万線のピッチ幅＜第２の中間領域の万線のピッチ幅＜低濃度領域の万線の各ピッチ幅が成り立つ。なお、万線の凹部の線幅が３０〜５００μｍで、ピッチ幅が７０〜２０００μｍの範囲内であることが好ましい。
【００３７】
図８に示した画像形成体Ａ２に対してＹ１方向からスポット光を照射し、Ｙ２方向から肉眼で観察した場合、又はＹ１方向からスポット光を照射し、Ｙ１方向から肉眼で観察した場合に、各領域は、異なった万線のピッチ幅を有するため影の発生する量が相違する。よって、画像形成体Ａ１とほぼ同様な効果が得られる。なお、図８に示した画像形成体Ａ２に対してＸ１方向からスポット光を照射し、Ｘ２方向から肉眼で観察した場合又はＸ１方向からスポット光を照射し、Ｘ１方向から肉眼で観察した場合は、潜像画像２が視認しにくい状態となる。
【００３８】
（画像形成体Ａ３）
図３で示した高濃度領域３ａ、第１の中間領域３ｂ１、第２の中間領域３ｂ２及び低濃度領域３ｃに振り分けられた各領域に対して、図９に示すような凹部の線５から成る万線４を施す。また、図９に示すＸ−Ｘ’断面図によって、各凹部の線５は所定の深さＤを有していることが分かる。この場合、高濃度領域３ａの万線４ａの各線幅を３００μｍとした場合、第１の中間領域３ｂ１の万線４ｂ１の各線幅を２００μｍとし、第２の中間領域４ｂ２の万線３ｂ２の各線幅を１００μｍとし、低濃度領域３ｃの万線３ｃの各線幅を５０μｍとしている。つまり、図９では、各領域を形成する万線の線幅は、高濃度領域の万線の各線幅＞第１の中間領域の万線の各線幅＞第２の中間領域の万線の各線幅＞低濃度領域の万線の各線幅が成り立つ。この場合、各線幅のピッチは一定としているが、それぞれのピッチ幅は異ならせても良い。なお、万線の凹部の線幅が３０〜５００μｍで、ピッチ幅が７０〜２０００μｍの範囲内であることが好ましい。
【００３９】
図９に示した画像形成体Ａ３に対してＹ１方向からスポット光を照射し、Ｙ２方向から肉眼で観察した場合又はＹ１方向からスポット光を照射し、Ｙ１方向から肉眼で観察した場合に、各領域は、異なった線幅を有するため観察角度のよって影が視認できる領域が相違する。よって、画像形成体Ａ１とほぼ同様な効果が得られる。なお、図９に示した画像形成体Ａ３に対してＸ１方向からスポット光を照射し、Ｘ２方向から肉眼で観察した場合又はＸ１方向からスポット光を照射し、Ｘ１方向から肉眼で観察した場合は、潜像画像２が視認しにくい状態となる。
【００４０】
画像形成体Ａ１は万線の配列方向が相違によって低濃度領域から高濃度領域を表し、画像形成体Ａ２は万線の間隔の相違によって低濃度領域から高濃度領域を表し、画像形成体Ａ３は万線の線幅の相違によって低濃度領域から高濃度領域を表しているが、これらを組み合わせた低濃度領域から高濃度領域を表現しても良い。図１０に、これらを組み合わせから成る画像形成体Ａ４を示す。
【００４１】
図４、図８、図９及び図１０の画像形成体は、各領域に凹部の線５から成る外郭形状６を有しているが、図１１に示すように、外郭形状６を形成しなくても良い。
【００４２】
本発明の画像形成体を垂直方向から観察した場合に、各領域３は区分けしにくい状態で視認されるために、万線の凹部の線幅が３０〜５００μｍで、ピッチ幅が７０〜２０００μｍの範囲内で作製することが好ましい。線幅が３０μｍより小さいと作製上困難となり、５００μｍより大きいと本発明の効果が得られにくくなる。また、それぞれの線幅と各非線幅の割合は１：１乃至１：３程度が好ましい。
【００４３】
図４、図８、図９及び図１０の画像形成体に対して垂直方向から徐々に水平方向に観察すると、明暗が連続的に徐々に変化するため、階調を有して潜像画像が視認できる。さらに、画像形成体を傾けなくとも、スポット光等の入射光の角度を連続的に変化させることによって本発明の効果を奏することができる。また、本発明の画像形成体は、例えば、室内照明等の室内全体に略均等に光が拡散するような一般的な環境下では、スポット光を照射した場合と比べて、影が発生しにくいため、階調を有する潜像画像の視認性が劣る。
【００４４】
紙基材に形成する場合は、前述の潜像画像２の他に、第２の潜像画像として透過光による画像を形成しても良く、この場合は潜像画像２よりも第２の潜像画像の深度を深く形成し、第２の潜像画像の凹部の線の深度を透過光で観察した場合に確認できる深度で形成することで、透過光で観察した場合に第２の潜像画像が画像として視認できる。
【００４５】
本発明の万線の形状は、直万線パターン及び曲万線パターン等で形成することができ、特に限定されるものではない。さらに、万線の各線は、実線を用いることが好ましいが、点線及び破線等を用いても良い。また、実線、破線及び点線等を微小文字で形成しても良い。
【００４６】
本発明の基材は紙葉類、プラスチックフィルム及び金属等を用いることができる。紙葉類の場合は、表面光沢のあるコート紙又はアート紙が好ましい。また、本発明の画像形成体は、基材を透明プラスチック等の光透過性基材とした場合に、垂直方向から水平方向に徐々に傾けて観察した場合に、潜像画像が出現する。基材の厚さは、特に限定されるものでなく６０μｍ程度の薄い基材から、７６０μｍ程度のカード基材等でも有効である。
【００４７】
本発明の画像形成体を形成するレーザ加工手段のレーザの種類は、特に限定されるものではないが、炭酸ガスレーザが好ましい。特に問題とはならないが、本発明の基材が紙葉類の場合は、レーザの熱によって、凹部の線のエッジ部に焦げが生じる場合がある。本発明の基材がプラスチックフィルムの場合は、レーザの熱によって、凹部の線のエッジ部に光透過性基材の表面よりも隆起した隆起部が形成される場合がある。
【００４８】
（画像形成体の作製装置）
画像形成体の作製装置について以下に説明する。図１２に示すように、画像形成体の作製装置１１は、画像取得手段１２、万線潜像画像データ生成手段１３、変換テーブル記憶手段１４及びレーザ加工手段１５から成る。画像取得手段１２、万線潜像画像データ生成手段１３及び変換テーブル記憶手段１４は、コンピュータ又はワークステーション等で行われる。
【００４９】
画像取得手段１２は、画像形成体の潜像画像２のモチーフ（原画像）となる、例えば、濃度値０〜２５５のいずれかが定義された画素の集合体である潜像画像データ７を取得する。濃度値０〜２５５のいずれかが定義された画素の集合体である潜像画像データでない場合は、取得した画像に対して画像処理を行い、例えば、濃度値０〜２５５のいずれかが定義された画素の集合体である潜像画像データ７に変換する。画像の取得は、イメージスキャナ、ディジタルカメラ、ハンディータイプリーダ又はカメラ付き携帯電話等で行われる。
【００５０】
万線潜像画像データ生成手段１３は、取得された潜像画像データ７を、各濃度と各万線の配列方向が対応付けされた変換テーブル記憶手段１４に記憶された変換テーブル８を読み出し、変換テーブル８を基に、潜像画像データ７の濃度領域ごとに配列方向が異なった万線に変換し、更に線幅及びピッチを定義して万線潜像画像データ９を生成する。
【００５１】
変換テーブル８の一例を図１３に示す。例えば、濃度レベルが０〜９の１０段階に分割している場合、万線の配列方向は、０°、１０°、２０°、３０°、４０°、５０°、６０°、７０°、８０°、９０°となっている。３６０°で換算した場合、濃度レベルが０の場合は、０°、１８０°又は３６０°となり、濃度レベルが１の場合は、１０°、１７０°、１９０°又は３５０°となり、濃度レベルが２の場合は、２０°、１６０°、２００°又は３４０°となり、濃度レベルが３の場合は、３０°、１５０°、２１０°又は３３０°となり、濃度レベルが４の場合は、４０°、１４０°、２２０°又は３２０°となり、濃度レベルが５の場合は、５０°、１３０°、２３０°又は３１０°となり、濃度レベルが６の場合は、６０°、１２０°、２４０°又は３００°となり、濃度レベルが７の場合は、７０°、１１０°、２５０°又は２９０°となり、濃度レベルが８の場合は、８０°、１００°、２６０°又は２８０°となり、濃度レベルが９の場合は、９０°又は２７０°となる。濃度レベルは２５６階調を０〜９に区分けしている。変換テーブル８のデータは一例であり、本発明はこれに限定されるわけではない。
【００５２】
レーザ加工手段１５は、基材の表面に万線潜像画像データを基に凹部の線から成る潜像画像を形成する。レーザ加工手段のレーザの種類は、特に限定されるものではないが、炭酸ガスレーザが好ましい。
【００５３】
（画像形成体の作製方法）
画像形成体の作製方法について以下に説明する。図１４に示すように、第１の工程は、潜像画像のモチーフ（原画像）となる、例えば、濃度値０〜２５５のいずれかがが定義された画素の集合体である潜像画像データ７を画像取得手段によって取得する。
【００５４】
濃度値０〜２５５のいずれかが定義された画素の集合体である潜像画像データ７でない場合は、取得した画像を画像処理し、濃度値０〜２５５のいずれかが定義された画素の集合体である潜像画像データ７に変換する。画像の取得は、イメージスキャナ、ディジタルカメラ、ハンディータイプリーダ又はカメラ付き携帯電話等で行われる。
【００５５】
第２の工程は、第１の工程で取得された潜像画像データ７を、万線潜像画像データ生成手段によって各濃度と各万線の配列方向が対応付けされた変換テーブル記憶手段に記憶された変換テーブル８を基に、潜像画像データ７の濃度領域ごとに配列方向が異なった万線に変換し、さらに、線幅及びピッチを定義して万線潜像画像データ９を生成する。
【００５６】
第３の工程は、第２の工程で生成した万線潜像画像データ９を基に、レーザ加工手段によって基材の表面に凹部の線から成る潜像画像を形成し画像形成体を得る。レーザ加工手段のレーザの種類は、特に限定されるものではないが、炭酸ガスレーザが好ましい。
【実施例】
【００５７】
以下、実施例を用いて本発明を更に詳細に説明するが、本発明の内容は、これらの実施例の範囲に限定されるものではない。
【００５８】
潜像画像のモチーフ（原画像）となる濃度値０〜２５５のいずれかがが定義された画素の集合体である潜像画像データを画像取得手段によって取得した。次に、潜像画像データを、万線潜像画像データ生成手段によって各濃度と各万線の配列方向が対応付けされた変換テーブルを基に、潜像画像データの濃度領域ごとに配列方向が異なった万線に変換し、更に、凹部の線幅１００μｍ、ピッチ幅２００μｍを定義して万線潜像画像データを生成した。
【００５９】
万線潜像画像データは、潜像画像をパーツ及び濃度ごとに２０個の領域に区分けし、区分けされた２０個の領域を、更に低濃度領域、第１の中間領域、第２の中間領域、第３の中間領域及び高濃度領域の５段階に区分けし、高濃度領域の万線の配列方向を０°にしたときに、第１の中間領域を２５°、第２の中間領域を５０°、第３の中間領域を７５°及び低濃度領域４を９０°とした。
【００６０】
万線潜像画像データを基に、レーザ加工機によって基材１の表面に深度５０μｍで凹部の線から成る潜像画像を形成して画像形成体Ｂ１を得た。図１５に画像形成体Ｂ１を示す。画像形成体Ｂ１の潜像画像２は、２０個の領域３から成り、各領域は万線の配列方向が０°である高濃度領域３ａ、万線の配列方向が２５°である第１の中間領域３ｂ１、万線の配列方向が５０°である第２の中間領域３ｂ２、万線の配列方向が７５°である第３の中間領域３ｂ３及び万線の配列方向が９０°である低濃度領域３ｃの５段階のいずれかが選択されて形成されている。また、凹部の線幅は１００μｍ、ピッチ幅は２００μｍ、深度５０μｍで形成されている。
【００６１】
図１６（ａ）に示すように、実施例１の画像形成体Ｂ１を垂直方向から観察すると、潜像画像２を形成する２０個の領域３は、低濃度領域、第１の中間領域、第２の中間領域、第３の中間領域、第４の中間領域及び高濃度領域に振り分けられ、低濃度領域、第１の中間領域、第２の中間領域、第３の中間領域、第４の中間領域及び高濃度領域ごとに万線の配列方向の角度がそれぞれ異なっているが、万線の凹部の線幅が１００μｍで、ピッチ幅が２００μｍの範囲内であり、微細な線幅で形成されているため、２０個の領域は区分けしにくい状態であった。
【００６２】
図１６（ｂ）は、画像形成体Ｂ１に対してＹ１方向からスポット光を照射し、Ｙ２方向から肉眼で観察した場合の図面である。図１６（ｂ）に示すように、高濃度領域が最も暗く確認でき、続いて、第１の中間領域、第２の中間領域、第３の中間領域、第４の中間領域及び低濃度領域となり、各領域３ごとに明度差が生じ、階調を有して潜像画像２が視認された。
【００６３】
図１６（ｃ）は、画像形成体Ｂ１に対してＹ１方向からスポット光を照射し、Ｙ１方向から肉眼で観察した場合の図面である。図１６（ｃ）に示すように、高濃度領域が最も明るく確認でき、続いて、第１の中間領域、第２の中間領域、第３の中間領域、第４の中間領域及び低濃度領域となり、各領域３ごとに明度差が生じ、階調を有して潜像画像２が視認された。
【００６４】
以上、本発明の実施例に基づいて説明したが、本発明はこの実施例に限定されるものではなく、特許請求の範囲記載における技術的思想の範囲内であれば、その他のいろいろな実施の形態が考えられる。
【図面の簡単な説明】
【００６５】
【図１】本発明の画像形成体に形成される所定幅Ｗを有する凹部の線５の説明図である。
【図２】モチーフ（原画像）となる潜像画像２を形成するパーツごと及び／又は潜像画像２を形成する色彩の明度ごとに１３個の領域３に分割された図である。
【図３】１３個の各領域に対して、高濃度領域３ａ、第１の中間領域３ｂ１、第２の中間領域３ｂ２及び低濃度領域３ｃに振り分けた図である。
【図４】画像形成体Ａ１を示す図である。
【図５】図４に示した画像形成体Ａ１に対してＹ１方向からスポット光を照射し、Ｙ２方向から肉眼で観察した場合の原理を示す図である。
【図６】図４に示した画像形成体Ａ１に対してＹ１方向からスポット光を照射し、Ｙ１方向から肉眼で観察した場合の原理を示す図である。
【図７】図４に示した画像形成体Ａ１に対して所定の状態で観察した場合を示す図である。
【図８】画像形成体Ａ２を示す図である。
【図９】画像形成体Ａ３を示す図である。
【図１０】画像形成体Ａ４を示す図である。
【図１１】外郭形状６は凹部の線で形成しない例を示す図である。
【図１２】画像形成体の作製装置１１を示す図である。
【図１３】変換テーブル８を示す図である。
【図１４】画像形成体の作製方法を示すフロー図である。
【図１５】画像形成体Ｂ１を示す図である。
【図１６】画像形成体Ｂ１に対して所定の状態で観察した場合を示す図である。
【符号の説明】
【００６６】
１          基材
２          潜像画像
３          領域
３ａ        高濃度領域
３ｂ１      第１の中間領域
３ｂ２      第２の中間領域
３ｃ        低濃度領域
４、４ａ、４ｂ１、４ｂ２，４ｃ          万線
５          凹部の線
５ａ        第１の傾斜面
５ｂ        第２の傾斜面
６          外郭形状
７          潜像画像データ
８          変換テーブル
９          万線潜像画像データ
１１          作製装置
１２          画像取得手段
１３          万線潜像画像データ生成手段
１４          変換テーブル記憶手段
１５          レーザ加工手段
Ａ１、Ａ２、Ａ３、Ａ４、Ｂ１          画像形成体
Ｄ          所定の深さ
Ｗ          所定幅
【図１】
2009083157.tif 000003
【図２】
2009083157.tif 000004
【図３】
2009083157.tif 000005
【図４】
2009083157.tif 000006
【図５】
2009083157.tif 000007
【図６】
2009083157.tif 000008
【図７】
2009083157.tif 000009
【図８】
2009083157.tif 000010
【図９】
2009083157.tif 000011
【図１０】
2009083157.tif 000012
【図１１】
2009083157.tif 000013
【図１２】
2009083157.tif 000014
【図１３】
2009083157.tif 000015
【図１４】
2009083157.tif 000016
【図１５】
2009083157.tif 000017
【図１６】
2009083157.tif 000018